(57)【特許請求の範囲】
【請求項１】
回転可能な分類別収納部に設けられた複数の分類ポケットに、複数種類の物品を分類別に収納する分類別処理装置であって、
分類別収納部を第１の方向に回転させることを指示する第１のスイッチおよび分類別収納部を前記第１の方向と反対の第２の方向に回転させることを指示する第２のスイッチを備えたスイッチ手段と、
前記第１および第２のスイッチの双方が操作されているか否かを判別すると共に、第１のスイッチ、第２のスイッチの何れが先に操作されたかを判別する判別手段と、
この判別手段によって第１および第２のスイッチの双方が操作されたことが判別された際に分類別収納部の駆動を許可すると共に、何れのスイッチが先に操作されたかの判別結果に基づいて、当該スイッチが指示する方向へ分類別収納部を回転させる駆動制御手段と、
を具備したことを特徴とする分類別処理装置。
【請求項２】
コンピュータに対し、
複数種類の物品を分類別に収納するための複数の分類ポケットを備えた回転可能な分類別収納部を第１の方向に回転させることを指示する第１のスイッチおよび分類別収納部を第１の方向と反対の第２の方向に回転させることを指示する第２のスイッチの双方が操作されているか否かを判別すると共に、第１のスイッチ、第２のスイッチの何れが先に操作されたかを判別する機能と、
第１および第２のスイッチの双方が操作されたことが判別された際に分類別収納部の駆動を許可すると共に、何れのスイッチが先に操作されたかの判別結果に基づいて、当該スイッチが指示する方向へ分類別収納部を回転させる機能を実現させるためのプログラムを記録した記録媒体。
【発明の詳細な説明】
【０００１】
【発明の属する技術分野】
この発明は、伝票等を種類別に区分けする分類別処理装置およびそのプログラム記録媒体に関する。
【０００２】
【従来の技術】
従来、公共料金、手形交換等の伝票を多量に扱う業務において、個々の伝票を種類別に区分ける場合、作業机の回りを取り込むように設置された棚には仕切板によって複数の分類収納スペースが形成されており、この分類収納スペース内に伝票を手作業によって収納するようにしている。すなわち、机上に設けられた入力端末装置から分類コードを入力すると、それに該当する収納スペースを指示するめのランプが点灯され、それを目印に伝票を手作業により、分類収納スペース内に投入するようにしていた。
また、自動化を図ったものとして分類入力された際に、該当する分類収納スペースの位置まで伝票を搬送してスペース内に自動収納するものが知られている。
【０００３】
【発明が解決しようとする課題】
しかしながら、前者のものにあっては、手作業を前提とするため、作業効率が悪く、また、伝票搬送機構を持った自動分類別処理装置にあっては、搬送機構を必要とするため大型化を招くと共に、多種多用なサイズや紙厚の伝票を搬送する際に、搬送路で紙詰まりが起り易い等の欠点があった。
そこで、本出願人は、伝票等の物品収納時に、その種類が指定されると、分類別収納部を回転駆動させ、指定された分類に対応する収納スペース位置を検出してそれを投入口に対応させる技術（特願平７−１０９１８７号：発明の名称「分類処理装置」）を提案した。
この分類処理装置においては、回転可能な分類別収納部内に複数の分類収納スペースを設け、物品の種類を指定するだけで、この種類に該当する収納スペースを物品投入口に位置させることができるので、自動区分けが可能となると共に、搬送路を必要としないため小型軽量化を実現することができ、しかも、紙詰まり等の問題も効果的に解消することができる。
ところで、このような分類処理装置において、分類仕分けされた伝票の束を取り出す際に、回転体としての分類別収納部を手動で回転させて分類毎に伝票の束を取り出すようにすると、分類別収納部内に大量の伝票が収納されている場合にはその荷重によって回転が重くなり、相当の力を必要とすると共に、回転スピードが遅くなり、取り出し作業に時間がかかるという問題が発生する。
そこで、伝票の束を取り出す際にも分類別収納部を回転駆動させるようにすると、分類別収納部内に手を差し込んで物品を取り出す関係上、不意な回転駆動による危険性が有り、安全面での対策が必要となる。
この発明の課題は、可能な分類別収納部内に手を差し込んで物品を取り出す場合に、分類別収納部をスイッチ操作によって回転駆動させる方式を採用しても誤操作による不意な回転を効果的に防止できるようにすることである。
【０００４】
【課題を解決するための手段】
この発明は、回転可能な分類別収納部に設けられた複数の分類ポケットに、複数種類の物品を分類別に収納する分類別処理装置であって、分類別収納部を第１の方向に回転させることを指示する第１のスイッチおよび分類別収納部を前記第１の方向と反対の第２の方向に回転させることを指示する第２のスイッチを備えたスイッチ手段と、前記第１および第２のスイッチの双方が操作されているか否かを判別すると共に、第１のスイッチ、第２のスイッチの何れが先に操作されたかを判別する判別手段と、この判別手段によって第１および第２のスイッチの双方が操作されたことが判別された際に分類別収納部の駆動を許可すると共に、何れのスイッチが先に操作されたかの判別結果に基づいて、当該スイッチが指示する方向へ分類別収納部を回転させる駆動制御手段と、を具備したことを特徴とする。
【０００５】
【発明の実施の形態】
以下、図１〜図４を参照してこの発明の一実施形態を説明する。
図１は銀行の営業店に集められる公共料金や税金の領収済通知書、振込票、手形、小切手などの伝票を種類毎に区分けする分類別処理装置を示した外観斜視図である。
分類別処理装置１はその全体が机状に形成され、この天板部上の片側にはキーボード２や表示装置３が載置される。ここで、キーボード２や表示装置３は分類別処理装置１にケーブル接続されており、キーボード２は伝票の種類を示す分類コード等を入力したり、各種のコマンドを入力するもので、キーボード２から分類コードが入力されると、分類別処理装置１はそれに対応する伝票名を表示装置３から表示出力させる。表示装置３は透明タッチパネルが液晶表示画面に積層配置されてなり、キーボード２を補助するタッチ入力装置としての機能も合せ持っている。
【０００６】
図２は分類別処理装置１内の主要構造を概念的に示したもので、（Ａ）は概略横断面図、（Ｂ）は概略縦断面図である。
分類別処理装置１の天板部内において分類ボックス５を支持する回転軸（支軸）４には分類ボックス５が回転可能に取り付けられている。分類ボックス５はその全体が有底円筒状に形成されてなるもので、その内部には放射状に配設された複数の仕切板６によって複数（この例では８０個）の分類収納スペース（分類ポケット）７が形成されている。この分類ポケット７は伝票を種類毎に分類収納するもので、分類ボックス５の外周面において、各分類ポケット７に対応する位置には、位置決め用のバーコード（スペース番号）８がそれぞれ付加されている。ここで、伝票収納時あるいは伝票取り出し時において、キーボード２から伝票の種類を指定する分類コードが入力されると、ステップモータ９が駆動されてその回転がベルト１０を介して分類ボックス５に伝達され、分類ボックス５を正逆転可能に回転駆動させる。その際、位置マークセンサ１１は分類ボックス５の外周面に付加され、分類情報を表現する位置決め用バーコード８を読み取るもので、入力された分類コードに該当するバーコード８が読み取られた際に、その位置で分類ボックス５が停止するようにステップモータ９の駆動が制御される。すなわち、位置マークセンサ１１は入力された分類コードに対応して予め割り当てられている分類ポケット７の位置を検出するバーコードリーダであり、検出された分類ポケット７が伝票出し入れ口１２（図１参照）に対向する位置に来るまで分類ボックス５は回転駆動される。
【０００７】
一方、図２（Ｂ）に示すようにステップモータ９の下方には電磁ブレーキ１３が設けられており、この電磁ブレーキ１３はステップモータ９の回転を減速停止させるものである。また、伝票出し入れ口１２の下側には伝票出し入れ口１２を自動開閉するシャッタ１４が設けられている。このシャッタ１４は分類ボックス５が回転駆動されているときに伝票出し入れ口１２を閉じるもので、誤って伝票が投入されるのを防ぐと共に危険防止を図り、更に、伝票出し入れ口１２を開放しているときには、図１に示すようその先端部が斜め下方に折り曲げられ、伝票投入時に伝票をガイドする役目を果す。
【０００８】
他方、図１において、伝票出し入れ口１２の近傍には、それよりも大きな伝票取出口１５が設けられている。この伝票取出口１５は伝票の束をまとめて取り出す場合等に使用されるもので、手動式の蓋部材１６によって開閉される。蓋部材１６はその略全域にアクリル等の透明合成樹脂や透明強化ガラスからなる透明窓１７が形成されており、外部から分類ボックス５の内部を透視確認できるようになっている。また、蓋部材１６には立ち上げ式のノブ１８が設けられており、このノブ１８を摘んで引き上げることにより蓋部材１６を図中矢印方向に開放させることができるが、分類ボックス５が回転駆動している際中にノブ１８が引き上げられた場合には、危険防止の為にモータを急停止するようにしている。
また、分類別処理装置１においてその天板部の前面にはパワースイッチ１９等の他に、分類ボックス５の回転を指示する左スイッチ２０、右スイッチ２１が設けられている。左スイッチ２０、右スイッチ２１は押釦式スイッチであり、分類ボックス５内に分類収納されている伝票の束を伝票取出口１５から取り出す際に操作されるもので、両スイッチは両手で操作する関係上一定間隔離れた位置に取り付けられている。ここで、伝票取り出し時に左スイッチ２０、右スイッチ２１の双方を操作するとそれを条件に分類ボックス５が回転駆動され、また双方あるいは何れか一方の操作を解除すると、分類ボックス５の回転が停止される。また、左スイッチ２０は分類ボックス５を左回転（反時計方向に回転）させることを指示し、右スイッチ２１は分類ボックス５を右回転（時計方向に回転）させることを指示するもので、双方をスイッチを操作する際には僅かにタイミングをずらして操作することを条件とし、先に操作されたスイッチが指示する方向へ分類ボックス５が回転駆動される。
【０００９】
図３は分類別処理装置１のシステム構成を示したブロック図である。
ＣＰＵ３１はＲＡＭ３２内にロードされている各種プログラムにしたがってこの分類別処理装置１の全体動作を制御する中央演算処理である。記憶装置３３はオペレーティングシステムや各種アプリケーションプログラム、データファイル、文字フォントデータ等が予め格納されている記憶媒体３４やその駆動系を有している。この記憶媒体３４は固定的に設けたもの、もしくは着脱自在に装着可能に設けたものであり、フロッピーディスク、ハードディスク、光ディスク、ＲＡＭカード等の磁気的・光学的記憶媒体、半導体メモリによって構成されている。また、記憶媒体３４内のプログラムやデータは、必要に応じてＣＰＵ３１の制御により、ＲＡＭ３２にロードされる。更に、ＣＰＵ３１は通信回線等を介して接続された他の機器側から送信されて来たプログラム、データを受信して記憶媒体３４に格納したり、他の機器側に設けられている記憶媒体に格納されているプログラム、データを通信回線等を介して使用することもできる。
また、ＣＰＵ３１にはその入出力周辺デバイスであるキーボード２、タッチパネル付き液晶表示装置３、分類ボックス５、センサ部３５、スイッチ部３６等が接続され、ＣＰＵ３１はそれらの入出力動作を制御する。ここで、センサ部３５は位置マークセンサ１１の他に、図示しないが、ノブ１８が引き上げられたことを検出するセンサ等を有し、このノブ引き上げセンサは分類ボックス５の回転中にノブ１８の引き上げを検出した場合にはステップモータ９を急停止させるが、分類ボックス５の停止中にノブ１８が引き上げられた場合にはその間、左スイッチ２０、右スイッチ２１の操作を有効とする。また、スイッチ部３６はパワースイッチ１９、左スイッチ２０、右スイッチ２１等の操作信号を出力する。
【００１０】
次に、この分類別処理装置の動作を説明する。先ず、伝票を分類収納する際の動作概要を簡単に説明しておく。
伝票収納時にその伝票の種類を示す分類コードがキーボード２から入力されると、ＣＰＵ３１はその分類コードをそれに対応するスペース番号に変換し、位置マークセンサ１１を駆動させると共に、ステップモータ９を駆動させる。これによって分類ボックス５が回転駆動されるが、位置マークセンサ１１はその外周面に付された位置決め用バーコード８を読み取り、ＣＰＵ３１はその読み取り結果が入力された分類コードに対応するスペース番号であれば、分類ボックス５を停止させると共にシャッタ１４を開放させる。ここで、伝票が投入されると、シャッタ１４を閉じる。このような動作は分類コードが入力される毎に繰り返される結果、伝票を投入するだけで分類ボックス５内に伝票を分類収納することができる。
【００１１】
このようにして分類収納された伝票を分類毎に取り出す場合には、分類ボックス５が停止している状態において、所定のキー入力によって伝票の取り出しを指示する。すると、のフローチャートにしたがった動作が実行開始される。このフローチャートに記述されている各機能を実現するためのプログラムは、ＣＰＵ３１が読み取り可能なプログラムコードの形態で記憶媒体３４に記憶されており、その内容がＲＡＭ３２にロードされている。先ず、ＣＰＵ３１は分類ボックス５が停止している状態において、所定のキー入力によって伝票の取り出しが指示されると、ノブ１８が立ち上げられたが、つまり、蓋部材１６が開放されたかを調べ（ステップＳ１）、蓋部材１６が開放されるまで待機する。ここで、ノブ１８が立ち上げられて蓋部材１６が開放されると、左スイッチ２０、右スイッチ２１の操作状態に応じて分類ボックス５を回転駆動させる。すなわち、右スイッチ２１が操作（スイッチＯＮ）されると（ステップＳ２）、この右スイッチ２１がＯＮされている間、左スイッチ２０が操作されたかを調べる（ステップＳ３）。いま、右スイッチ２１に続いて左スイッチ２０を操作したものとすると、ＣＰＵ３１はステップモータ９を所定時間（例えば、０．１秒間）駆動させて分類ボックス５を右方向に回転させる（ステップＳ４）。そして、ステップＳ１に戻り、以下、左スイッチ２０、右スイッチ２１の両方が操作されている間、ステップモータ９を０．１秒間に駆動させるため、分類ボックス５は右方向に回転し続ける。この場合、左スイッチ２０、右スイッチ２１の一方あるいは両方がＯＦＦされると、その時点で回転は停止する。一方、左スイッチ２０が先に操作された場合には（ステップＳ５）、左スイッチ２０がＯＮされている間、右スイッチ２１が操作されたかを調べる（ステップＳ６）。いま、左スイッチ２０に続いて右スイッチ２１を操作したものとすると、ＣＰＵ３１は上述の場合と同様にステップモータ９を所定時間（例えば、０．１秒間）駆動させるが、この場合、分類ボックス５を左方向に回転させる（ステップＳ７）。そして、ステップＳ１’に戻り、左スイッチ２０、右スイッチ２１の両スイッチが操作されている間、分類ボックス５は左方向に回転し続け、その一方あるいは両方のスイッチがＯＦＦされると、その時点で分類ボックス５は停止する。
【００１２】
以上のように、この分類別処理装置においては、左スイッチ２０、右スイッチ２１の両方を操作することを条件として分類ボックス５の回転を許可するようにしたから、伝票取り出し時において、スイッチ操作によって分類ボックス５を回転駆動させてもその間、両手はスイッチ操作を行っているため、分類ボックス５に手を差し込むこともなく、また、両手で操作する関係上、間違って分類ボックス５を回転駆動させることもなく、不意な回転を効果的に防止することができる。また、左スイッチ２０、右スイッチ２１のうちいずれが先に操作されたかによって分類ボックス５の回転方向を制御することができる。
なお、上述した一実施形態においては、左スイッチ２０、右スイッチ２１の操作状態をプログラム制御によって監視し、分類ボックス５の回転を制御するようにしたが、勿論、ハード的な回路構成によっても実現可能である。また、左スイッチ２０、右スイッチ２１の取り付け位置を装置本体の前面部としたが、操作性や安全性を考慮した位置であれば任意である。
【００１３】
【発明の効果】
この発明によれば、第１および第２のスイッチの双方が操作された際に回転体の駆動を許可するようにしたから、可能な分類別収納部内に手を差し込んで物品を取り出す場合に、分類別収納部をスイッチ操作によって回転駆動させる方式を採用しても誤操作による不意な回転を効果的に防止することができ、安全対策上、極めて有効であると共に、いずれのスイッチが先が操作されたかに応じて回転体の回転方向を操作することができるので、操作性の点においても優れたものとなる。
【図面の簡単な説明】
【図１】分類別処理装置の外観斜視図。
【図２】分類別処理装置１内の主要構造を概念的に示したもので、（Ａ）は概略横断面図、（Ｂ）は概略縦断面図。
【図３】分類別処理装置１の全体構成を示したブロック図。
【図４】伝票取り出し時においてスイッチ操作に応じて分類ボックス５を回転駆動させる際の動作を示したフローチャート。
【符号の説明】
１  分類別処理装置
５  分類ボックス
９  ステップモータ
１５  伝票取出口
１６  蓋部材
２０  左スイッチ
２１  右スイッチ
３１  ＣＰＵ
３２  ＲＡＭ
３３  記憶装置
３４  記憶媒体
３５  センサ部
３６  スイッチ部
【図１】
0003785733.tif 000002
【図２】
0003785733.tif 000003
【図３】
0003785733.tif 000004
【図４】
0003785733.tif 000005